(57)【要約】【課題】  側面開口枠を切り欠く必要がなく、施工の容易な簡易建物の製造方法の提供。【解決手段】  前桁１の下面に前面開口枠４の位置決め用のフィン２を有し、フィン前側の前桁１下面に柱３ａ，３ｂ，３ｃを取付け、柱３ａ，３ｂ，３ｃの後側に側面開口枠５が取付く場合は、前桁１のフィン２を側面開口枠５の厚みＷ分切り欠き、その切り欠き部分に側面開口枠５を取付け、柱３ａ，３ｂ，３ｃの後側に側面開口枠５が取付かない場合は、フィン２を側面開口枠５の厚みＷ分切り欠くと共に、桁フィンカバー７を取付けてフィン２の切欠き６ｂを隠す。【選択図】      図１
2019190051.tif 000002
【特許請求の範囲】
【請求項１】
前桁の下面に前面開口枠の位置決め用のフィンを有し、フィン前側の前桁下面に柱を取付け、柱の後側に側面開口枠が取付く場合は、前桁のフィンを側面開口枠の厚み分切り欠き、その切り欠き部分に側面開口枠を取付け、柱の後側に側面開口枠が取付かない場合は、フィンを側面開口枠の厚み分切り欠くと共に、桁フィンカバーを取付けてフィンの切欠きを隠すことを特徴とする簡易建物の製造方法。
【請求項２】
連結される一方桁及び他方桁と、桁フィンカバーとを備え、一方桁及び他方桁は、下面に長手方向に沿って開口枠の位置決め用のフィンを有し、一方桁は、連結側の端部においてフィンが切り欠かれており、桁フィンカバーは、フィンの切欠きを隠していることを特徴とする簡易建物。
【発明の詳細な説明】
【技術分野】
【０００１】
本発明は、テラス囲い、サンルーム等の簡易建物の製造方法と、簡易建物に関する。
【背景技術】
【０００２】
従来、テラス囲いやサンルーム等の簡易建物において、図１０に示すように、前桁９０の下面に前面開口枠の位置決め用のフィン９１を長手方向の全長に設けたものがあった。テラス囲いでは、側面にも開口枠９２が取付くが、側面開口枠９２の縦枠９３が前桁下面のフィン９１と干渉するため、図１０に示すように、側面開口枠９２の縦枠９３に切欠き９４を設ける必要がある。側面開口枠の縦枠と前面開口枠の縦枠は共通の部材であるため、側面開口枠の縦枠にだけ工場であらかじめ切欠きを設けておくことは困難であり、施工現場で切り欠く必要があり、施工が煩雑になっていた。
【発明の概要】
【発明が解決しようとする課題】
【０００３】
本発明は以上に述べた実情に鑑み、側面開口枠を切り欠く必要がなく、施工の容易な簡易建物の製造方法、及び簡易建物の提供を目的とする。
【課題を解決するための手段】
【０００４】
上記の課題を達成するために請求項１記載の発明による簡易建物の製造方法は、前桁の下面に前面開口枠の位置決め用のフィンを有し、フィン前側の前桁下面に柱を取付け、柱の後側に側面開口枠が取付く場合は、前桁のフィンを側面開口枠の厚み分切り欠き、その切り欠き部分に側面開口枠を取付け、柱の後側に側面開口枠が取付かない場合は、フィンを側面開口枠の厚み分切り欠くと共に、桁フィンカバーを取付けてフィンの切欠きを隠すことを特徴とする。
【０００５】
請求項２記載の発明による簡易建物は、連結される一方桁及び他方桁と、桁フィンカバーとを備え、一方桁及び他方桁は、下面に長手方向に沿って開口枠の位置決め用のフィンを有し、一方桁は、連結側の端部においてフィンが切り欠かれており、桁フィンカバーは、フィンの切欠きを隠していることを特徴とする。
【発明の効果】
【０００６】
請求項１記載の発明による簡易建物の製造方法は、柱の後側に側面開口枠が取付く場合は、前桁のフィンを側面開口枠の厚み分切り欠き、その切り欠き部分に側面開口枠を取付けるので、側面開口枠を切り欠く必要がなく、施工性が良好であり、また、柱の後側に側面開口枠が取付かない場合は、フィンを側面開口枠の厚み分切り欠くと共に、桁フィンカバーを取付けてフィンの切欠きを隠すので、フィンの切欠きが露出せず、意匠性が良い。また、前桁を側面開口枠が取付く場合用と取付かない場合用に複数の種類を持つ必要がないため、コストダウンできる。
【０００７】
請求項２記載の発明による簡易建物は、連結される一方桁及び他方桁の下面に長手方向に沿って開口枠の位置決め用のフィンを有し、一方桁は、連結側の端部においてフィンが切り欠かれており、桁フィンカバーでフィンの切欠きを隠すことで、フィンの切欠きが露出せず、意匠性が良い。一方桁は、連結しない単体の簡易建物用の桁と共通にでき、桁下面のフィンが切り欠かれていることで、側面開口枠が取付く場合に側面開口枠を切り欠く必要がなく、施工性が良い。
【図面の簡単な説明】
【０００８】
【図１】図６のＡ−Ａ断面図である。
【図２】図１のＸ方向矢視図である。
【図３】図６のＢ−Ｂ断面図である。
【図４】図６のＣ−Ｃ断面図である。
【図５】図６のＤ−Ｄ断面図である。
【図６】本発明に係る簡易建物の一実施形態を示す正面図である。
【図７】同簡易建物の側面図である。
【図８】（ａ）は桁フィンカバーの正面図、（ｂ）は同底面図、（ｃ）は同側面図である。
【図９】（ａ）は一方桁の正面図と側面図、（ｂ）は他方桁の正面図と側面図である。
【図１０】従来の簡易建物における前桁のフィンと側面開口枠の取合いを示す側面図であって、（ａ）は側面開口枠を取付ける前の状態、（ｂ）は側面開口枠を取付けた後の状態を示す。
【発明を実施するための形態】
【０００９】
以下、本発明の実施の形態を図面に基づいて説明する。図１〜７は、本発明の簡易建物の一実施形態を示している。本簡易建物は、建物の外壁８に沿って設置されるテラス囲いに適用したものであって、図６に示すように、間口方向（左右方向）に２棟連棟して設置したものである。本簡易建物は、図６，７に示すように、建物の外壁８に左右一対の躯体方立９，９と、躯体方立９，９上に跨って垂木掛け１０が取付けられ、前側に３本の柱３ａ，３ｂ，３ｃが地面Ｇから立設され、柱３ａ，３ｂ，３ｃの上端に雨樋１１を備えた前桁１が架設してあり、左右の躯体方立９，９と前桁１の間に腕木１２，１２が取付けてある。垂木掛け１０と前桁１間には、左右両端に妻垂木１３，１３が取付けてあり、妻垂木１３，１３の間に複数の垂木１４，１４，…が間隔をおいて取付けてあり、妻垂木１３と垂木１４の間、垂木１４同士の間に、樹脂製の屋根パネル１５が取付けてある。妻垂木１３と腕木１２との間の開口部には、樹脂製の屋根側面パネル１６が取付けてある。腕木１２の下の側面開口部１７には、側面開口枠５と引違い障子１８とからなる建具が取付けてある。前桁１の下の前面開口部１９にも、前面開口枠４と引違い障子１８とからなる建具が取付けてある。側面開口枠５と前面開口枠４は、アルミ形材よりなる上枠２０と下枠２１と左右の縦枠２２，２２を枠組みして構成してある。
【００１０】
前桁１は、アルミ形材で形成したものであり、図４に示すように、下面の後側端部に前面開口枠４の位置決め用のフィン２が長手方向に沿って設けてある。このフィン２に前面開口枠４の後面を当接させることで、前面開口枠４を前後方向に位置決めでき、前面開口枠４の取付けが容易に行え、また、前桁１と前面開口枠４との間に隙間が開くのを防止できる。
【００１１】
前桁１は、図１，６に示すように、正面から見て左側に位置する一方桁１ａと、正面から見て右側に位置する他方桁１ｂとを連結金具２３で連結してある。一方桁１ａは、図９（ａ）に示すように、左右両端部においてフィン２に側面開口枠５の厚みＷ（図５参照）分の切欠き６ａ，６ｂが設けてある。他方桁１ｂは、図９（ｂ）に示すように、右側の端部においてフィン２に側面開口枠５の厚みＷ分の切欠き６ｃが設けてある。なお、一方桁１ａは、連棟しない単体の簡易建物に用いられる前桁１と共通の部材である。
【００１２】
一方桁１ａは、図５に示すように、フィン２に切欠き６ａを設けた正面から見て左側の端部において、フィン２前側の下面に柱３ａの上端が金具２８（図１参照）で固定され、柱３ａの後側に側面開口枠５を配置し、ネジ２４で固定してある。一方桁１ａのフィン２に側面開口枠５の厚みＷ分の切欠き６ａが設けてあることで、側面開口枠５の縦枠２２を切り欠く必要がない。
他方桁１ｂの正面から見て右側の端部においても、これと同様にフィン２前側の下面に柱３ｃの上端を金具２８で固定し、柱３ｃの後側に側面開口枠５を取付けている。
【００１３】
一方桁１ａの正面から見て右側の端部（連結側の端部）においては、柱３ｂの後側に側面開口枠５が取付かないため、本来ならこの箇所のフィン２の切欠き６ｂは不要であるが、本簡易建物では図１〜３に示すように、側面開口枠５が取付く方の端部と同様にフィン２に側面開口枠５の厚みＷ分の切欠き６ｂを設けた上で、柱３ｂの後面の上端部に樹脂製の桁フィンカバー７を取付けて、フィン２の切欠き６ｂを隠している。桁フィンカバー７は、図８に示すように、横長の板状の部材で、中央に桁フィンカバー７を柱３ｂに固定するためのネジ２５の挿通孔２６を有し、左右両端部に折り取り自在部２７ａ，２７ｂを有する左右対称形となっている。本実施形態のものは、図２，３に示すように、右側の折り取り自在部２７ｂを折り取っている。このように、片方の折り取り自在部２７ａ又は２７ｂを折り取ることで、桁フィンカバー７がフィン２の切欠き６ｂにぴったり嵌まり、これによりアルミのメタル色が露出せず、見た目が良い。一方桁１ａと他方桁１ｂの配置が左右逆の場合は、左側の折り取り自在部２７ａを折り取ればよい。
【００１４】
本実施形態の簡易建物は、左右両側の側面開口部１７に側面開口枠５を取付けているが、一方又は両方の側面開口部１７に側面開口枠５を取付けないものとすることもできる。その場合も、前桁１のフィン２に側面開口枠５が取付く場合と同様に側面開口枠５の厚みＷ分の切欠き６ａ，６ｃを設けた上で、桁フィンカバー７を取付けてフィン２の切欠き６ａ，６ｃを隠す。
【００１５】
次に、本簡易建物の施工手順を説明する。まず、外壁８に躯体方立９，９と垂木掛け１０を取付ける。次に、一方桁１ａに柱３ａ，３ｂを取付け、柱３ａ，３ｂの下部を地面Ｇに埋め込んで立設する。一方桁１ａには、予めフィン２に切欠き６ａ，６ｂを設けておく。次に、躯体方立９と一方桁１ａ間に腕木（左）１２を取付ける。次に、垂木掛け１０と一方桁１ａ間に妻垂木（左）１３と中央の垂木１４を取付ける。次に、他方桁１ｂに柱３ｃを取付け、他方桁１ｂを一方桁１ａと連結金具２３で連結すると共に、柱３ｃの下部を地面Ｇに埋め込んで立設する。他方桁１ｂには、予めフィン２に切欠き６ｃを設けておく。次に、垂木掛け１０と一方桁１ａ及び他方桁１ｂ間に妻垂木（右）１３と残りの垂木１４を取付ける。次に、妻垂木１３と垂木１４間と、垂木１４同士の間に、屋根パネル１５を取付ける。次に、屋根側面パネル１６を取付ける。次に、前面開口枠４と側面開口枠５を組立て、柱３ａ，３ｂ，３ｃ間の前面開口部１９に前面開口枠４を取付け、柱３ａ，３ｃの後側の側面開口部１７に側面開口枠５をそれぞれ取付ける。中央の柱３ｂの後側には側面開口枠５が取付かないので、柱３ｂの上端部後面に桁フィンカバー７を取付けてフィン２の切欠き６ｂを隠す。その後、前面開口枠４と側面開口枠５に障子１８を取付ける。
【００１６】
以上に述べたように、本簡易建物の製造方法は、柱３ａ，３ｂ，３ｃの後側に側面開口枠５が取付く場合は、図５に示すように、前桁１のフィン２を側面開口枠５の厚みＷ分切り欠き、その切欠き６ａ，６ｃの部分に側面開口枠５を取付けるので、側面開口枠５を切り欠く必要がなく、施工性が良好であり、また、柱３ａ，３ｂ，３ｃの後側に側面開口枠５が取付かない場合は、図２，３に示すように、フィン２を側面開口枠５の厚みＷ分切り欠くと共に、桁フィンカバー７を取付けてフィン２の切欠き６ａ，６ｂ，６ｃを隠すので、フィン２の切欠き６ａ，６ｂ，６ｃが露出せず、意匠性が良い。また、前桁１を側面開口枠５が取付く場合用と取付かない場合用に複数の種類を持つ必要がないため、コストダウンできる。
【００１７】
本簡易建物は、連結される一方桁１ａ及び他方桁１ｂの下面に長手方向に沿って開口枠４の位置決め用のフィン２を有し、一方桁１ａは、図１〜３に示すように、連結側の端部においてフィン２が切り欠かれており、桁フィンカバー７でフィン２の切欠き６ｂを隠すことで、フィン２の切欠き６ｂが露出せず、意匠性が良い。一方桁１ａは、連結しない単体の簡易建物用の桁と共通にでき、桁下面のフィン２が切り欠かれていることで、側面開口枠５が取付く場合に側面開口枠５を切り欠く必要がなく、施工性が良い。
桁フィンカバー７は左右対称形で、左右両端部に折り取り自在部２７ａ，２７ｂを有することで、一方桁（単体用）１ａと他方桁（連結用）１ｂの配置の左右勝手違いに、同じ桁フィンカバー７を兼用することができる。
【００１８】
本発明は以上に述べた実施形態に限定されない。本発明の簡易建物は、連棟したものに限らず、単体の簡易建物であってもよい。桁フィンカバーは、フィンの切断された小口を隠せるものであればよく、その形状や材質は適宜変更することができる。前面開口枠及び側面開口枠を取付けるかどうかは、任意に選択することができる。本発明は、テラス囲いに限らず、テラス屋根（側面と前面が囲われてないもの）、サンルーム、ガーデンルーム等、あらゆる簡易建物に適用することができる。
【符号の説明】
【００１９】
１  前桁
１ａ  一方桁
１ｂ  他方桁
２  フィン
３ａ，３ｂ，３ｃ  柱
４  前面開口枠
５  側面開口枠
６ａ，６ｂ，６ｃ  切欠き
７  桁フィンカバー
【図１】
2019190051.tif 000003
【図２】
2019190051.tif 000004
【図３】
2019190051.tif 000005
【図４】
2019190051.tif 000006
【図５】
2019190051.tif 000007
【図６】
2019190051.tif 000008
【図７】
2019190051.tif 000009
【図８】
2019190051.tif 000010
【図９】
2019190051.tif 000011
【図１０】
2019190051.tif 000012